(57)【要約】【課題】圧縮機本体に対する誤操作を抑え、また、操作機器に対する操作性、視認性を高めるようにする。【解決手段】防音箱１の右前面板８に取付けられる操作パネル１６に、右側面板８の表面から収容空間９側に角度θだけ傾斜した状態で窪む傾斜操作面１８を設け、この傾斜操作面１８に押し釦スイッチ２１，表示器２２，ランプ２３を配設する。これにより、押し釦スイッチ２１等を右前面板８の表面よりも収容空間９側に引込ませることができる。このため、作業者の体が不用意に押し釦スイッチ２１等に触れるのを抑えることができ、圧縮機本体１１に対する誤操作を確実に抑えることができる。また、防音箱１の高さ寸法が小さい場合でも、作業者は立ち姿勢を保ったまま、傾斜操作面１８に配設された押し釦スイッチ２１等を容易に操作し、かつ確認することができる。【選択図】　　　　図５
2004036400.tif 000002
【特許請求の範囲】
【請求項１】
板体によって囲繞され内部が収容空間となった防音箱と、該防音箱の収容空間内に収容され流体を圧縮する圧縮機本体と、該圧縮機本体を操作するための操作機器が配設され前記防音箱に設けられた操作パネルとを備えてなるパッケージ型圧縮機において、
前記操作パネルには、前記防音箱の表面から収容空間側に窪むように傾斜し前記操作機器が配設される傾斜操作面を設けたことを特徴とするパッケージ型圧縮機。
【請求項２】
前記操作パネルは、前記防音箱に取付けられる取付枠体と、該取付枠体に一体に設けられた前記傾斜操作面とからなり、樹脂材料を用いて一体形成する構成としてなる請求項１に記載のパッケージ型圧縮機。
【発明の詳細な説明】
【０００１】
【発明の属する技術分野】
本発明は、防音箱内に流体を圧縮する圧縮機本体を収容したパッケージ型圧縮機に関する。
【０００２】
【従来の技術】
一般に、パッケージ型圧縮機は、底面板、左，右の側面板、後面板、天面板および前面板等によって囲繞され内部が収容空間となった防音箱と、該防音箱の収容空間内に設けられ流体を圧縮する圧縮機本体と、防音箱の収容空間内に設けられ圧縮機本体から吐出された圧縮流体を貯留するタンクと、防音箱に取付けられた操作パネルとにより大略構成されている。
【０００３】
ここで、操作パネルは、圧縮機本体を操作するための押し釦スイッチ等の操作機器、タンク内に貯留された流体の圧力等を表示する表示機器が配設されるもので、通常、防音箱の表面（前面板）に取付けられている。
【０００４】
そして、この種のパッケージ型圧縮機は、操作パネルに配設された操作機器によって圧縮機本体を操作することにより、タンク内に圧縮流体を貯留し、このタンク内に貯留された流体の圧力等を表示機器によって確認することができる構成となっている。
【０００５】
【発明が解決しようとする課題】
しかし、上述した従来技術によるパッケージ型圧縮機は、操作パネルが防音箱の表面に取付けられているため、該操作パネルに配設された押し釦スイッチ等の操作機器が、防音箱の表面から外部に向けて突出している。
【０００６】
このため、防音箱の表面から突出した操作機器に作業者の体が触れることにより、圧縮機本体が誤操作されてしまい、作業者の意に反して作動状態にあった圧縮機本体が停止したり、停止状態にあった圧縮機本体が作動してしまうという問題がある。
【０００７】
また、操作パネルは、通常、防音箱の前面板に対してほぼ平行に設けられている。このため、パッケージ型圧縮機の高さ寸法が作業者の身長に比較して小さい場合には、作業者は、かがんだ姿勢で操作パネルに設けられた操作機器を操作したり、表示機器を確認する必要があり、操作機器に対する操作性が悪く、表示機器に対する視認性が悪いという問題がある。
【０００８】
本発明は上述した従来技術の問題に鑑みなされたもので、圧縮機本体に対する誤操作を抑えることができ、また、操作機器に対する操作性、視認性を高めることができるようにしたパッケージ型圧縮機を提供することを目的としている。
【０００９】
【課題を解決するための手段】
上述した課題を解決するため、本発明は、板体によって囲繞され内部が収容空間となった防音箱と、該防音箱の収容空間内に収容され流体を圧縮する圧縮機本体と、該圧縮機本体を操作するための操作機器が配設され防音箱に設けられた操作パネルとを備えてなるパッケージ型圧縮機に適用される。
【００１０】
そして、請求項１の発明が採用する構成の特徴は、操作パネルには、防音箱の表面から収容空間側に窪むように傾斜し操作機器が配設される傾斜操作面を設けたことにある。
【００１１】
このように構成したことにより、傾斜操作面に配設される操作機器を、防音箱の表面よりも収容空間側に引込ませることができるので、作業者の体が不用意に操作機器に触れるのを抑え、圧縮機本体に対する誤操作を抑えることができる。また、傾斜操作面は、防音箱の表面から収容空間側に窪むように傾斜しているので、パッケージ型圧縮機の高さ寸法が小さい場合でも、作業者は立ち姿勢を保ったまま、傾斜操作面に配設された操作機器を容易に操作し、かつ確認することができるので、操作機器に対する操作性、視認性を高めることができる。
【００１２】
請求項２の発明は、操作パネルは、防音箱に取付けられる取付枠体と、該取付枠体に一体に設けられた傾斜操作面とからなり、樹脂材料を用いて一体形成する構成としたことにある。このように構成したことにより、例えば板金等を用いて操作パネルを形成する場合に比較して、操作パネルの製造コストを低減することができる。
【００１３】
【発明の実施の形態】
以下、本発明に係るパッケージ型圧縮機の実施の形態を、図１ないし図６を参照しつつ詳細に説明する。
【００１４】
図中、１はパッケージ型圧縮機の外面を構成する防音箱で、該防音箱１は、図１および図２に示す如く、左，右方向に長尺となる方形状に形成された底面板２と、該底面板２の左端縁から上向きに延びて立設された左側面板３と、該左側面板３に対面して前記底面板２の右端縁に立設された右側面板４と、前記底面板２の後端縁に立設された後面板５と、前記左，右の側面板３，４、後面板５の上側を覆う天面板６と、後面板５に対面して底面板２の前端縁に立設された左，右の前面板７，８とにより囲繞された略直方体の箱体として構成されている。そして、防音箱１内には、後述する圧縮機本体１１、モータ１２、空気タンク１４等を収容する収容空間９が形成されている。
【００１５】
ここで、左前面板７は、天面板６にラッチ機構（図示せず）を介して脱，着可能に取付けられ、右前面板８は、右側面板４にヒンジ機構（図示せず）を介して開，閉可能に取付けられている。そして、これら左，右の前面板７，８は、収容空間９内に収容された圧縮機本体１１、モータ１２、空気タンク１４等に対する保守、点検作業時に脱，着および開，閉されるものである。
【００１６】
一方、右前面板８の上側部位には、図６に示すように、後述する操作パネル１６の傾斜操作面１８を挿入するための長方形状の開口８Ａが形成され、該開口８Ａの角隅部近傍には、後述のボルト１９が挿通される４個のボルト挿通穴８Ｂが穿設され、該各ボルト挿通穴８Ｂのうち上，下に離間した２個のボルト挿通穴８Ｂ間には、後述のピン１７Ｆが挿通される２個のピン挿通穴８Ｃが穿設されている。
【００１７】
１０は防音箱１の収容空間９内に位置して底面板２上に設けられた固定台で、該固定台１０は、下枠１０Ａと、該下枠１０Ａの上方に複数本の縦枠１０Ｂを介して配設された上枠１０Ｃとによって構成されている。
【００１８】
１１は収容空間９内に位置して固定台１０の上枠１０Ｃに据付けられた圧縮機本体で、該圧縮機本体１１は、３個のシリンダ１１Ａ，１１Ｂ，１１Ｃを有する３気筒式の往復動圧縮機として構成されている。そして、圧縮機本体１１は、クランク軸（図示せず）に接続されたプーリ１１Ｄを後述のモータ１２によって駆動することにより、各シリンダ１１Ａ，１１Ｂ，１１Ｃ内で空気を圧縮し、その圧縮空気を後述の空気タンク１４内へと送り込むものである。
【００１９】
１２は固定台１０の下枠１０Ａ上に取付けられたモータで、該モータ１２の出力軸にはプーリ１２Ａが設けられ、そのプーリ１２Ａと圧縮機本体１１のプーリ１１Ｄとの間にはベルト１３が掛け渡されている。そして、モータ１２は、後述するインバータ装置１５から給電されることにより出力軸を回転駆動し、ベルト１３、プーリ１１Ｄ等を介して圧縮機本体１１を駆動するものである。
【００２０】
１４はモータ１２の左側に位置して固定台１０の下枠１０Ａ上に取付けられた空気タンクで、該空気タンク１４は、圧縮機本体１１から吐出された圧縮空気を貯留するもので、両端が閉塞された円筒状の密閉容器として形成されている。また、空気タンク１４には、圧縮空気の取出口１４Ａとドレン取出口１４Ｂとが防音箱１の左側面板３から外部に突出して設けられている。
【００２１】
１５は圧縮機本体１１等と共に収容空間９内に設けられたインバータ装置で、該インバータ装置１５は、高圧側トランジスタ素子、低圧側トランジスタ素子、サージ電圧を吸収するコンデンサを含む多数個の電気部品によって構成され、直流電圧を交流電圧に変換することによりモータ１２を制御するものである。
【００２２】
１６は防音箱１を構成する右前面板８の上側部位に設けられた操作パネルで、該操作パネル１６は、図３ないし図６に示すように、後述の取付枠体１７と、傾斜操作面１８とにより大略構成され、例えばポリアミド樹脂等の樹脂材料を用いて一体形成されている。
【００２３】
１７は操作パネル１６の外枠を構成する取付枠体で、該取付枠体１７は、天面板６に沿って左，右方向に延びる上枠１７Ａと、該上枠１７Ａと平行して左，右方向に延びる下枠１７Ｂと、上枠１７Ａ，下枠１７Ｂの左端部に位置して上，下方向に延びる左枠１７Ｃと、上枠１７Ａ，下枠１７Ｂの右端部に位置して上，下方向に延びる右枠１７Ｄとにより、長方形の枠状に形成されている。
【００２４】
ここで、図６等に示すように、取付枠体１７のうち右前面板８と対面する背面側には、右前面板８の各ボルト挿通穴８Ｂと対応する位置に４個の円筒状のボス１７Ｅが突設されている。また、取付枠体１７の背面側のうち右前面板８の各ピン挿通穴８Ｃと対応する位置には、右前面板８に対する操作パネル１６の位置決めを行うための２本のピン１７Ｆ（１本のみ図示）が突設されている。
【００２５】
１８は取付枠体１７に一体形成された傾斜操作面で、該傾斜操作面１８は、図５および図６に示すように、防音箱１を構成する右前面板８の表面から収容空間９側に窪み、鉛直方向に対して角度θだけ傾斜した平板状に形成されている。そして、傾斜操作面１８の表面側は防音箱１の外部に位置し、該傾斜操作面１８の表面には、後述する押し釦スイッチ２１等の操作機器、表示器２２、各ランプ２３等が配設されている。
【００２６】
ここで、傾斜操作面１８の下縁部は、取付枠体１７の下枠１７Ｂに直接的に連結され、傾斜操作面１８の上縁部は、斜め前方に延びる長方形状の上連結板１８Ａを介して取付枠体１７の上枠１７Ａに連結されている。また、傾斜操作面１８の左側縁部は、前方に延びる三角形状の左連結板１８Ｂを介して取付枠体１７の左枠１７Ｃに連結され、傾斜操作面１８の右側縁部は、前方に延びる三角形状の右連結板１８Ｃを介して取付枠体１７の右枠１７Ｄに連結されている。
【００２７】
一方、傾斜操作面１８のうち防音箱１の収容空間９内に位置する背面側には、後述の基板２０を取付けるための８個の円筒状のボス１８Ｄが突設されている。また、傾斜操作面１８には、基板２０に配設された後述の各押し釦スイッチ２１が挿入される４個の大径穴１８Ｅと、後述の表示器２２が挿入される長方形状の角穴１８Ｆと、後述の各ランプ２３が挿入される８個の小径穴１８Ｇが穿設されている。
【００２８】
そして、取付枠体１７は、図４および図６に示すように、右前面板８の各ピン挿通穴８Ｃにピン１７Ｆを挿通することにより、右前面板８に対して位置決めされた状態で、右前面板８の各ボルト挿通穴８Ｂに挿通した４本のボルト１９を各ボス１７Ｅに螺着することにより、右前面板８の上側部位に着脱可能に取付けられ、その表面側が右前面板８の表面から僅かに隆起する構成となっている。
【００２９】
２０は操作パネル１６の傾斜操作面１８に取付けられる基板で、該基板２０には、圧縮機本体１１の動作を制御するために操作される操作機器としての４個の押し釦スイッチ２１、空気タンク１４内の圧力等を表示する表示器２２、圧縮器本体１１の動作状態に応じて点灯する発光ダイオード等の８個のランプ２３等が配設されている。また、基板２０のうち傾斜操作面１８の各ボス１８Ｄに対応する位置には、後述のボルト２４が挿通される８個のボルト挿通穴２０Ａが穿設されている。
【００３０】
そして、基板２０は、図５および図６に示すように、各ボルト挿通穴２０Ａに挿通した８本のボルト２４を傾斜操作面１８の各ボス１８Ｄに螺着することにより、該傾斜操作面１８の背面側に着脱可能に取付けられる。これにより、基板２０に取付けられた各押し釦スイッチ２１，表示器２２，各ランプ２３は、傾斜操作面１８の各大径穴１８Ｅ，角穴１８Ｆ，各小径穴１８Ｇに挿入され、該傾斜操作面１８の表面に配設される。
【００３１】
この場合、傾斜操作面１８は、上述した如く鉛直方向に対して角度θだけ傾斜した状態で、防音箱１を構成する右前面板８の表面から収容空間９側に窪んでいる。このため、傾斜操作面１８に配設された各押し釦スイッチ２１，表示器２２，各ランプ２３を、右前面板８の表面よりも収容空間９側に引込ませることができ、作業者の体が不用意に押し釦スイッチ２１等に触れるのを確実に抑えることができる構成となっている。
【００３２】
一方、傾斜操作面１８は、右前面板８の表面から収容空間９側に窪むように傾斜しているので、防音箱１の高さ寸法が小さい場合でも、作業者は立ち姿勢を保ったまま、傾斜操作面１８に配設された各押し釦スイッチ２１を容易に操作することができ、かつ、傾斜操作面１８に配設された表示器２２の表示内容、各ランプ２３の点灯状態を容易に確認することができる構成となっている。
【００３３】
さらに、取付枠体１７と傾斜操作面１８とを備えた操作パネル１６を、例えばポリアミド樹脂を用いて一体形成することにより、例えば板金等を用いて操作パネルを形成する場合に比較して、操作パネル１６の製造コストを低減することができる構成となっている。
【００３４】
次に、防音箱１を構成する右前面板８に、上述の操作パネル１６を取付ける作業について説明する。
【００３５】
まず、図６に示すように、押し釦スイッチ２１、表示器２２、ランプ２３を取付けた基板２０を用意し、該基板２０の各ボルト挿通穴２０Ａに挿通したボルト２４を、操作パネル１６の傾斜操作面１８に設けた各ボス１８Ｄに螺着する。これにより、図５に示すように、傾斜操作面１８の背面側に基板２０が取付けられ、各押し釦スイッチ２１，表示器２２，各ランプ２３は、傾斜操作面１８の各大径穴１８Ｅ，角穴１８Ｆ，各小径穴１８Ｇに挿入され、該傾斜操作面１８の表面に配設される。
【００３６】
次に、基板２０が取付けられた操作パネル１６の傾斜操作面１８を、防音箱１の右前面板８に形成された開口８Ａ内に挿入すると共に、操作パネル１６の取付枠体１７に突設されたピン１７Ｆを、右前面板８の各ピン挿通穴８Ｃに挿通することにより、操作パネル１６を右前面板８に対して位置決めする。
【００３７】
そして、右前面板８の各ボルト挿通穴８Ｂに挿通したボルト１９を、取付枠体１７の各ボス１７Ｅに螺着することにより、図４に示すように、操作パネル１６を、右前面板８の上側部位に取付けることができる。
【００３８】
これにより、操作パネル１６の傾斜操作面１８は、鉛直方向に対して角度θだけ傾斜した状態で右前面板８の表面から収容空間９側に窪むので、傾斜操作面１８に配設された各押し釦スイッチ２１，表示器２２，各ランプ２３を、右前面板８の表面よりも収容空間９側に引込んだ位置に配設することができる。
【００３９】
本実施の形態によるパッケージ型圧縮機は、上述の如き操作パネル１６を備えたもので、次に、その作動について説明する。
【００４０】
まず、操作パネル１６の傾斜操作面１８に配設された押し釦スイッチ２１を押圧操作することにより、インバータ装置１５によってモータ１２の回転が制御され、このモータ１２の回転が、ベルト１３等を介して圧縮機本体１１に伝達される。
【００４１】
これにより、圧縮機本体１１は、各シリンダ１１Ａ，１１Ｂ，１１Ｃ内に空気を吸込んで圧縮し、圧縮機本体１１から吐出された圧縮空気は、空気タンク１４内に一時的に貯留される。そして、空気タンク１４内に貯留された圧縮空気は、取出口１４Ａから吐出する。
【００４２】
そして、圧縮機本体１１の作動状態は、傾斜操作面１８に配設された各ランプ２３の点灯によって確認することができ、空気タンク１４内の圧力は、傾斜操作面１８に配設された表示器２２によって確認することができる。
【００４３】
この場合、本実施の形態によれば、操作パネル１６の傾斜操作面１８は、鉛直方向に対して角度θだけ傾斜した状態で、防音箱１を構成する右前面板８の表面から収容空間９側に窪んでいる。このため、傾斜操作面１８に配設された各押し釦スイッチ２１，表示器２２，各ランプ２３を、右前面板８の表面よりも収容空間９側に引込ませることができる。
【００４４】
従って、作業者の体が不用意に押し釦スイッチ２１等に触れるのを抑えることができ、作業者の意に反して作動状態にあった圧縮機本体１１を停止させたり、停止状態にあった圧縮機本体１１を作動させてしまうといった誤操作を確実に抑えることができる。
【００４５】
一方、傾斜操作面１８は、右前面板８の表面から収容空間９側に窪むように傾斜しているので、防音箱１の高さ寸法が小さい場合でも、作業者は立ち姿勢を保ったまま傾斜操作面１８に配設された各押し釦スイッチ２１を容易に操作することができ、押し釦スイッチ２１に対する操作性を高めることができる。
【００４６】
また、作業者は立ち姿勢を保ったまま傾斜操作面１８に配設された表示器２２の表示内容、各ランプ２３の点灯状態を容易に確認することができ、これら表示器２２、各ランプ２３に対する視認性を高めることができる。
【００４７】
さらに、取付枠体１７と傾斜操作面１８とを備えた操作パネル１６は、樹脂材料を用いて一体形成されているので、例えば板金等を用いて操作パネルを形成する場合に比較して、操作パネル１６の製造コストを低減することができる。
【００４８】
なお、上述した実施の形態では、操作パネル１６を、防音箱１を構成する右前面板８に取付けた場合を例示している。しかし、本発明はこれに限るものではなく、例えば左前面板７、左側面板３、右側面板４等の他の部位に取付ける構成としてもよい。
【００４９】
また、上述した実施の形態では、防音箱１を、底面板２と、左，右の側面板３，４と、後面板５と、天面板６と、左，右の前面板７，８とによって囲繞された直方体の箱状に形成した場合を例に挙げている。しかし、本発明はこれに限らず、例えば底面板と、該底面板上に立設された円筒状の周壁板と、該周壁板の上端側に設けられた天面板とによって囲繞された円筒状の防音箱を形成し、この周壁板の表面に操作パネル１６を取付ける構成としてもよい。
【００５０】
また、上述した実施の形態では、操作パネル１６をポリアミド樹脂を用いて一体形成した場合を例に挙げたが、例えばポリアミド樹脂に代えてＡＢＳ樹脂（アクリロニトリル・ブタジエン・スチレン樹脂）を用いて操作パネル１６を一体形成してもよい。この場合、ＡＢＳ樹脂により形成された操作パネル１６の表面には光沢が得られるため、パッケージ型圧縮機の外観美を高めることができる。
【００５１】
さらに、上述した実施の形態では、圧縮機本体１１を３気筒式の往復動圧縮機として構成した場合を例に挙げて説明している。しかし、本発明はこれに限らず、例えば１気筒、２気筒または４気筒以上の往復動圧縮機を用いる構成としてもよい。また、往復動圧縮機に代えて、スクロール圧縮機等の他の圧縮機を用いてもよい。
【００５２】
【発明の効果】
以上詳述した如く、請求項１の発明によれば、操作パネルに、防音箱の表面から収容空間側に窪むように傾斜する傾斜操作面を設ける構成としたので、傾斜操作面に配設される操作機器を、防音箱の表面よりも収容空間側に引込ませることができる。これにより、作業者の体が不用意に操作機器に触れるのを防止することができ、圧縮機本体に対する誤操作を確実に抑えることができる。
【００５３】
また、傾斜操作面は、防音箱の表面から収容空間側に窪むように傾斜しているので、パッケージ型圧縮機の高さ寸法が小さい場合でも、作業者は立ち姿勢を保ったまま、傾斜操作面に配設された操作機器を容易に操作し、かつ確認することができるので、操作機器に対する操作性、視認性を高めることができる。
【００５４】
また、請求項２の発明によれば、操作パネルを樹脂材料を用いて一体形成する構成としたので、例えば板金等を用いて操作パネルを形成する場合に比較して、操作パネルの製造コストを低減することができる。
【図面の簡単な説明】
【図１】本発明の実施の形態によるパッケージ型圧縮機を示す斜視図である。
【図２】パッケージ型圧縮機を左，右の前面板を一部破断にした状態で前側からみた正面図である。
【図３】図２中の右前面板、操作パネル等を拡大した拡大正面図である。
【図４】防音箱、操作パネル、基板等を図３中の矢示ＩＶ−ＩＶ方向からみた拡大断面図である。
【図５】防音箱、操作パネル、基板等を図３中の矢示Ｖ−Ｖ方向からみた拡大断面図である。
【図６】防音箱の右前面板、操作パネル、基板を背面側からみた分解斜視図である。
【符号の説明】
１　防音箱
２　底面板（板体）
３　左側面板（板体）
４　右側面板（板体）
５　後面板（板体）
６　天面板（板体）
７　左前面板（板体）
８　右前面板（板体）
１１　圧縮機本体
１２　モータ
１４　空気タンク
１６　操作パネル
１７　取付枠体
１８　傾斜操作面
２１　押し釦スイッチ（操作機器）
【図１】
2004036400.tif 000003
【図２】
2004036400.tif 000004
【図３】
2004036400.tif 000005
【図４】
2004036400.tif 000006
【図５】
2004036400.tif 000007
【図６】
2004036400.tif 000008